(57)【要約】      （修正有）【課題】ファンの位置の調整範囲を従来よりも拡張可能な扇風機を提供する。【解決手段】載置面に載置されるベース１と、このベース１に対して第１連結部５を介して取り付けられ、垂直姿勢に固定可能な第１棒状支持体２と、この第１棒状支持体２の第１連結部５が設けられる側とは反対側の端部に設けられる第２連結部６と、この第２連結部周りに角度調節可能かつ長手方向に沿った移動調節可能に支持される第２棒状支持体３と、第２棒状支持体３の端部に設けられる第３連結部７と、この第３連結部周りに角度調節可能に取り付けられる、ファンを有する本体部４と、を備え、第２連結部周りに角度調節するときの回転軸と、第３連結部周りに角度調節するときの回転軸とが平行になるように設定されている。【選択図】図４Ａ
0003211424.tif 000002
【実用新案登録請求の範囲】
【請求項１】
載置面に載置されるベースと、
このベースに対して第１連結部を介して取り付けられ、垂直姿勢に支持可能な第１棒状支持体と、
この第１棒状支持体の第１連結部が設けられる側とは反対側の端部に設けられる第２連結部と、
この第２連結部周りに角度調節可能かつ長手方向に沿った移動調節可能に支持される第２棒状支持体と、
前記第２棒状支持体の端部に設けられる第３連結部と、
この第３連結部周りに角度調節可能に取り付けられる、ファンを有する本体部と、を備え、
第２連結部周りに角度調節するときの回転軸と、第３連結部周りに角度調節するときの回転軸とが平行になるように設定されていることを特徴とする扇風機。
【請求項２】
前記第２棒状支持体は、中空パイプ状に形成され、内部に電源コードを通すことが可能に形成されていることを特徴とする請求項１に記載の扇風機。
【請求項３】
前記ベースは第１連結部に対して角度調節可能であり、前記ベースと第１棒状支持体を接近させた状態で、ベースの端面と角度調節用の操作レバーにより、全体を起立姿勢に保持可能に構成したことを特徴とする請求項１又は２に記載の扇風機。
【請求項４】
前記本体部に、表示部、リモコン受信部、第１操作部を有する棒状制御部を有しており、この棒状制御部が第３連結部の前方側に位置していることを特徴とする請求項１〜３のいずれか１項に記載の扇風機。
【請求項５】
前方から見たとき、第１棒状支持体と第２棒状支持体は左右方向に軸線方向がずれた状態で配置されることを特徴とする請求項１〜４のいずれか１項に記載の扇風機。
【請求項６】
前記本体部の上面に第２操作部を設け、前記本体部の背面部にリモコン収容部を設けたことを特徴とする請求項１〜５のいずれか１項に記載の扇風機。
【考案の詳細な説明】
【技術分野】
【０００１】
本考案は、ファンを有する本体部の支持構造に特徴のある扇風機に関する。
【背景技術】
【０００２】
従来からある扇風機は、例えば、特許文献１の図１にみられるように、ファンとそのモータ等により構成される本体部が支持部を介してベースにより支持されている。支持部は、ベースに固着される第１支持部材と、この第１支持部材に対して上下動可能な第２支持部材により構成されている。ファンの位置を調節するためには、第２支持部材を上下させて適宜の位置で固定することで、ファンの高さを変えることができる。
【先行技術文献】
【特許文献】
【０００３】
【特許文献１】特開２０１４−２３１８０２号公報
【考案の概要】
【考案が解決しようとする課題】
【０００４】
しかしながら、上記公知の構成は単にファンの高さ位置を変えることができるにすぎず、しかもその調節範囲も大きくはない。
【０００５】
本考案は上記実情に鑑みてなされたものであり、その課題は、ファンの位置の調整範囲を従来よりも拡張可能な扇風機を提供することである。
【課題を解決するための手段】
【０００６】
上記課題を解決するため本考案に係る扇風機は、
載置面に載置されるベースと、このベースに対して第１連結部を介して取り付けられ、垂直姿勢に支持可能な第１棒状支持体と、この第１棒状支持体の第１連結部が設けられる側とは反対側の端部に設けられる第２連結部と、この第２連結部周りに角度調節可能かつ長手方向に沿った移動調節可能に支持される第２棒状支持体と、前記第２棒状支持体の端部に設けられる第３連結部と、この第３連結部周りに角度調節可能に取り付けられる、ファンを有する本体部と、を備え、
第２連結部周りに角度調節するときの回転軸と、第３連結部周りに角度調節するときの回転軸とが平行になるように設定されていることを特徴とするものである。
【０００７】
かかる構成による扇風機の作用・効果を説明する。ファンを有する本体部は、第２棒状支持体、第１棒状支持体を介してベースに支持される。第１棒状支持体は、第１連結部を介して、ベースに対して垂直姿勢に支持することができる。第２棒状支持体は、第２連結部を介して第１棒状支持体に支持され、回転方向の調節と第２棒状支持体をその長手方向に沿って直線的に位置調節可能である。さらに、本体部は、第３連結部を介して第２棒状支持体に支持され、回転方向の調節が可能である。
【０００８】
従って、第２連結部における回転方向の調節と直線的な位置調節と、第３連結部における回転方向の調節の組み合わせにより、ファンを有する本体部の位置調節の範囲が飛躍的に増大する。その結果、ファンの位置の調整範囲を従来よりも拡張可能な扇風機を提供することができる。
【０００９】
本考案に係る前記第２棒状支持体は、中空パイプ状に形成され、内部に電源コードを通すことが可能に形成されていることが好ましい。
【００１０】
かかる構成により本体部の位置調節をする際に電源コードが邪魔にならないようにすることができる。
【００１１】
本考案において、前記ベースは第１連結部に対して角度調節可能であり、前記ベースと第１棒状支持体を接近させた状態で、ベースの端面と角度調節用の操作レバーにより、全体を起立姿勢に保持可能に構成することが好ましい。
【００１２】
ベースを角度調節可能にして第１棒状支持体に近接させることで、扇風機を収納するときにコンパクトにまとめることが可能になる。また、ベースの端面と操作レバーにより起立可能にすることで、起立姿勢での収納も可能になる。
【００１３】
本考案に係る前記本体部に、表示部、リモコン受信部、第１操作部を有する棒状制御部を有しており、この棒状制御部が第３連結部の前方側に位置していることが好ましい。
【００１４】
本体部に棒状制御部を設けることで、ベースに表示部等を設ける構成に比べて、使用者側から確認や操作がしやすくなり便利である。
【００１５】
本考案において、前方から見たとき、第１棒状支持体と第２棒状支持体は左右方向に軸線方向がずれた状態で配置されることが好ましい。
【００１６】
第１棒状支持体と第２棒状支持体を左右方向に軸線方向をずらせることで、第２棒状支持体の位置を調節するときに第１棒状支持体が邪魔にならず、調節のための操作をスムーズに行うことができる。
【００１７】
本考案において、前記本体部の上面に第２操作部を設け、前記本体部の背面部にリモコン収容部を設けたことが好ましい。
【００１８】
本体部の上面に第２操作部を設けることで、ベースに操作部を設けるよりも操作しやすい高さ位置に操作部を設けることができる。また、本体部の背面にリモコン収容部を設けることで、リモコンをなくさないように収容しておくことができる。
【図面の簡単な説明】
【００１９】
【図１】扇風機の外観構成を示す斜視図
【図２】扇風機の外観正面図
【図３】扇風機の外観側面図
【図４Ａ】使用状態を示す図
【図４Ｂ】使用状態を示す図
【図５】首振り状態を示す図
【図６】扇風機の外観平面図
【図７】扇風機の背面図
【図８】ベースを折り畳んだ状態を示す図
【図９】図２のＡ−Ａ断面図
【図１０】図２のＢ−Ｂ断面図
【図１１】図３のＣ−Ｃ断面図
【考案を実施するための形態】
【００２０】
本考案に係る扇風機の好適な実施形態を図面を用いて説明する。図１は、扇風機の外観構成を示す斜視図である。図２は、図１の扇風機の正面図である。図３は、図１の扇風機の側面図である。図４Ａ，図４Ｂは、ファンの位置を調節した一例を示す図である。図９は、図２のＡ−Ａ断面図、図１０は、図２のＢ−Ｂ断面図、図１１は、図３のＣ−Ｃ断面図である。
【００２１】
＜外観構成＞
扇風機は、ベース１と、ベース１に対して垂直姿勢に支持可能な第１棒状支持体２を有する。
第１棒状支持体２は、中空のパイプ状に形成される。第１棒状支持体２の下端側は第１連結部５を介してベース１に支持される。第１連結部５は、ベース側に結合される第１連結部分５０と、第１棒状支持体側に結合される第２連結部分５１とを有する。第１連結部分５０の側に操作レバー５２が設けられており、所定の回転中心（図２のｘ）周りに回転操作できる。
【００２２】
ベース１と第１棒状支持体２は、中心ｘ周りに相対回転可能であり（図３の矢印Ｇ）、その角度を調節できる。扇風機を使用するときは、ベース１と第１棒状支持体２のなす角度は９０゜である。
【００２３】
操作レバー５２が図３の位置では、第１棒状支持体２とベース１は強固に固定されているが、操作レバー５２を図３の反時計方向に回転することでロック状態を解除し、第１棒状支持体２とベース１を相対回転可能にすることができる。第１連結部５の内部に構成されるロック機構については周知の機構を採用することができる。ベース１と第１棒状支持体２を互いに近接させることで、扇風機を使用しない時の収納に資することができる。
【００２４】
第１棒状支持体２は、図１１の断面図にも示すように中空パイプ状に形成される。素材は金属パイプまたは樹脂パイプである。第１棒状支持体２の下端は、第２連結部分５１に形成された嵌合筒５１ａに挿入・嵌合され、両者は一体的に結合される。
【００２５】
第１棒状支持体２と第２棒状支持体３は、第２連結部６を介して互いに連結され、第２棒状支持体３が第１棒状支持体２に対して支持される。第２連結部６は、第２棒状支持体側に結合される第１連結部分６０と、第１棒状支持体側に結合される第２連結部分６１とを有する。第１連結部分６０の側に操作レバー６２が設けられており、所定の回転中心（図２のｙ）周りに回転操作できる。回転中心ｘとｙはともに水平方向に設定され、互いに平行である。
【００２６】
第２棒状支持体３と第１棒状支持体２は、中心ｙ周りに相対回転可能であり（図３の矢印Ｄ）、その角度を調節できる。図２に示すように前方側からみたときに、第１棒状支持体２と第２棒状支持体３は左右方向に軸線がずれた状態、かつ、軸線が平行な状態で配置される。これにより、第２棒状支持体３を回転調節等行ったときに、第１棒状支持体２に干渉せずに、操作性をよくすることができる。
【００２７】
操作レバー６２が図１の位置では、第１棒状支持体２と第２棒状支持体３は強固に固定されているが、操作レバー６２をその正面から見て反時計方向に回転することでロック状態を解除し、第１棒状支持体２と第２棒状支持体３を相対回転可能にすることができる。第１連結部６の内部に構成されるロック機構については周知の機構を採用することができる。また、第１連結部５と第２連結部６の内部構造は同じとすることができる。
【００２８】
第１棒状支持体２の下端は、第２連結部分６１に形成された嵌合筒６１ａに挿入・嵌合され、両者は一体的に結合される。
【００２９】
また、第２連結部６の第１連結部分６０には貫通孔６０ａが形成されており（図１１参照）、第２棒状支持体３は、この貫通孔６０ａに沿って直線的に移動可能である。すなわち、第２棒状支持体３は、その長手方向（図２、図１１の矢印Ｆ）に沿って移動可能であり、位置調節可能である。この位置調節をする場合も、回転調節の場合と同様に、操作レバー６２により第２連結部６のロック解除することで行うことができる。
【００３０】
図１１に示すように第２棒状支持体３は中空パイプ状であり、その内部に電源コード１００（図１参照）を通すことができる。電源コード１００を第２棒状支持体３の内部を通すことで、第２棒状支持体３を第２連結部６に対して回転調節したり、直線的に位置調節したりする時に電源コード１００が邪魔にならないようにすることができる。電源コード１００を介して、本体部４の内部の回路に給電される。
【００３１】
第２棒状支持体３の端部（図３の位置では上端）に第３連結部７を介して本体部４が支持される。本体部４の前方側にはファン４０が設けられており、前側ガード４１と後側ガード４２により内部に収容されている。ファン４０は、ファンモータ４３により駆動される。本体部４の後方側には、本体カバー４４が設けられており、首振り機構、電源回路、制御回路等が収容されている。
【００３２】
本体部４の全体が第３連結部７の周りに（図３の矢印Ｅ方向に）回転調節することができる。この回転調節の回転軸は水平方向に設定されている。第３連結部７も他の連結部と同様に操作レバー７０を備えており、他の連結部と同様のロック機構を備えている。
【００３３】
第３連結部７の下方には嵌合筒７１が設けられており、第２棒状支持体３の上端が挿入・嵌合される。
【００３４】
図９に示すように、本体部４には首振りモータ４５が設けられており、本体部４の左右の首振り駆動を行う。首振りモータ４５のモータ軸には小径の駆動ギヤ４５ａが取り付けられており、この駆動ギヤ４５ａに大径の固定ギヤ４５ｂがギヤ支持軸４６に軸支されている。固定ギヤ４５ｂはギヤ支持軸４６に対して軸支されているが回転しない。したがって、首振りモータ４５を駆動することで、駆動ギヤ４５ａが固定ギヤ４５ｂの周囲を遊星駆動され、これにより、本体部４（ファン４０）の左右の首振りが行われる。なお、首振り機構については周知の構造を採用することができる。
【００３５】
本体カバー４４の下部には突出部４４ａが設けられており（図３参照）、本体部４が矢印Ｅ方向に回転調節されるときは一体的に回転するが、首振りのときは回転しない。首振りのときは突出部４４ａの軸芯周りに突出部４４ａを除く本体部４が回転する。
【００３６】
図３および図９などに示すように、本体部４の本体カバー４４の下部に棒状制御部８が設けられている。この棒状制御部８には、風量インジケーター、リモコン受光部、風量調節ダイヤル（第１操作部）が設けられている。棒状制御部８は、垂直方向に伸びており、ファンガード４２の後側、第３連結部７の前方側に位置している。かかる位置に設けることで、使用者から表示を視認しやすくすると共に、第３連結部７における回転調節の操作にも支障がないようにすることができる。また、首振り動作のときにもほかの部材と干渉しないようにすることができる。
【００３７】
図６の平面図にも示すように、本体部４の上面には第２操作部４７が設けられており、電源スイッチ、左右首振りオン／オフスイッチなどが設けられている。本体部４の上面に設けているので、立ち姿勢でも操作することができ操作性が優れている。
【００３８】
図７の背面図にも示すように、本体部４の背面部にはリモコン収容部４８が設けられている。リモコンに磁石を設けて、リモコン収容部４８を磁性体で形成することで、リモコンを保持することができる。
【００３９】
＜使用状態について＞
次に、本考案に係る扇風機の使用状態について説明する。図４Ａは、第１棒状支持体２に対して第２棒状支持体３の角度調節をした状態である。第２棒状支持体３は、約４５゜左上がりに傾斜した状態で調節されている。この傾斜角度は第２連結部６を操作することで調節することができる。
【００４０】
図４Ｂは、図４Ａの状態から、第２棒状支持体３を直線的に後方に位置を変えた状態（図の矢印方向）を示す。この調節も第２連結部６により行うことができる。第２棒状支持体３を後方に下げることで、本体部４（ファン４０）の位置を下げることができる。なお、ファン４０の位置を下げるのは上記ではなくて、第２棒状支持体３の調節角度を変えることでも行うことができる。
【００４１】
図５は首振り状態を示す図である。第２棒状支持体３を適宜の状態に調節した状態で左右の首振りを行うことができる。なお、図５の状態ではファン４０の回転軸は水平に設定された状態であるが、第２連結部７により角度調節を行うことでファン４０の回転軸が傾斜した状態に設定することも可能である。
【００４２】
図８は、第１連結部５を操作してベース１と第１棒状支持体２を近接させた状態である。この状態で操作レバー５２の端部とベース１の端面１ａにより扇風機全体を起立させることができる。第１棒状支持体２と第２棒状支持体３が垂直に一直線状になるようにすることで、扇風機を使用しない時にコンパクトな形態にすることができ、収容するときのスペース効率を良くすることができる。
【００４３】
＜別実施形態＞
第１〜第３連結部の具体的な内部構成は種々の変形例が可能である。回転角度の調節は、段階的な調節としてもよいし無段階の調節としてもよい。適宜の角度位置にクリックを設けてもよい。調節した位置での固定は摩擦力による保持など適宜の公知の手法により行うことができる。
【００４４】
本実施形態において第１操作部と第２操作部の２つを設けているが、それぞれの操作部にどのような機能を持たせるかについては適宜設定することができる。
【符号の説明】
【００４５】
１        ベース
２        第１棒状支持体
３        第２棒状支持体
４        本体部
５        第１連結部
６        第２連結部
７        第３連結部
８        棒状制御部
４０      ファン
４７      第２操作部
４８      リモコン収容部
５０      第１連結部分
５１      第２連結部分
５２      操作レバー
１００    電源コード
【図１】
0003211424.tif 000003
【図２】
0003211424.tif 000004
【図３】
0003211424.tif 000005
【図４Ａ】
0003211424.tif 000006
【図４Ｂ】
0003211424.tif 000007
【図５】
0003211424.tif 000008
【図６】
0003211424.tif 000009
【図７】
0003211424.tif 000010
【図８】
0003211424.tif 000011
【図９】
0003211424.tif 000012
【図１０】
0003211424.tif 000013
【図１１】
0003211424.tif 000014